(57)【特許請求の範囲】
【請求項１】
駆動ユニットの速度調整装置（Ｇ）および前記駆動ユニットの冷却回路の温度調整装置（Ｔ）を備える自動車の出力要求の最適化方法であり、少なくとも１つの走行ルートパラメータ（Ｓｔ）に基づいて、予想される前記駆動ユニットの第１の出力要求および予想される前記冷却回路の第２の出力要求が最適化される方法であって、
前記走行ルートパラメータ（Ｓｔ）に対応する走行戦略が選択され、該走行戦略に対応する前記第１の出力要求、および前記走行戦略に対応する前記第２の出力要求が、車両パラメータ（Ｆｚ）および走行パラメータ（Ｆ）を考慮して特定され、前記第２の出力要求が前記温度調整装置（Ｔ）から前記速度調整装置（Ｇ）にフィードバックされ、これを受けて、前記駆動ユニットの第１の出力要求と前記冷却回路の第２の出力要求とから成る前記自動車の全出力要求が最小化されるように、前記速度調整装置（Ｇ）の走行戦略モジュール（３）が、前記第２の出力要求を計算に入れて、前記駆動ユニットの新しい作動点を特定することを特徴とする方法。
【請求項２】
少なくとも１つの前記走行ルートパラメータ（Ｓｔ）が、デジタル道路マップのマップデータから特定されることを特徴とする、請求項１に記載の方法。
【請求項３】
前記温度調整装置（Ｔ）は、温度調整信号（ＴＳ1、・・・、ＴＳｎ）を用いて、少なくとも１つのポンプユニット（１０）、サーモスタットバルブ（１１）、空気供給調整装置（１２）および／またはファン（１３）の調整動作を制御することを特徴とする、請求項１または２に記載の方法。
【請求項４】
前記速度調整装置（Ｇ）は、速度調整信号（ＧＳ１、・・・、ＧＳｎ）を用いて、少なくとも１つのギヤ選択モジュール（４）、内燃機関用トルク設定モジュール（５）、電気モータ用トルク設定モジュール（６）および／または補助ブレーキ用トルク設定モジュール（７）の調整動作を制御することを特徴とする、請求項１〜３のうちいずれか一項に記載の方法。
【請求項５】
速度調整装置（Ｇ）は、双方向インターフェースによって前記自動車の温度調整装置（Ｔ）と接続されていることを特徴とする、請求項１〜４のうちいずれか一項に記載の方法を実施するための装置。
【発明の詳細な説明】
【技術分野】
【０００１】
本発明は、自動車の出力要求の最適化方法ならびに出力要求の最適化方法を実施するための装置に関する。
【背景技術】
【０００２】
従来技術から、自動車の予測的温度調整システムが知られており、これらのシステムにより、自動車の駆動ユニットの温度調整に用いられる予測的調整戦略の実施が可能となる。 
【０００３】
従来技術による方法では、自動車のデジタルマップおよびＧＰＳ（Ｇｌｏｂａｌ  Ｐｏｓｉｔｉｏｎｉｎｇ  Ｓｙｓｔｅｍ）によって実施可能な位置特定を用いて予測的に、特に内燃機関の将来的な熱入力が算出され、早期に調整を行うことによって、自動車のエネルギー消費および／または燃費を低下させる。
【０００４】
そのため、例えば、特許文献１から温度調整システムの作動方法が知られており、この場合、予測される自動車の走行ルートから将来の熱入力が見積もられる。特に、予測される走行ルートの高度プロファイルが考慮されるため、上り坂で発生する追加の高い熱入力または下り坂での小さな熱入力をあらかじめ特定することができる。従って、この温度調整システムは、高度プロファイルに適合させることが可能である。特に、例えばこれから長い下り坂を走行する場合、一時的に高い温度が受入れ可能になる。従って、温度調整のための不要な調整動作が回避されるため、エネルギー消費または燃費が低下する。
【先行技術文献】
【特許文献】
【０００５】
【特許文献１】米国特許出願公開第２００７／０２６１６４８Ａ１号
【発明の概要】
【発明が解決しようとする課題】
【０００６】
本発明は、従来技術に比べて改善された、自動車の出力要求の最適化方法を提供するという課題に基づいている。
【課題を解決するための手段】
【０００７】
この課題は、本発明に基づき、請求項１の特徴を備える自動車の出力要求の最適化方法、ならびに請求項５の特徴を備える出力要求の最適化装置によって解決される。
本発明の有利な実施形態は、従属請求項の対象である。
【０００８】
駆動ユニットの速度調整装置および駆動ユニットの冷却回路の温度調整装置を備える自動車の出力要求の最適化方法では、少なくとも１つの走行ルートパラメータに基づいて、予想される駆動ユニットの第１の出力要求および予想される冷却回路の第２の出力要求が特定される。本発明に基づき、まず、走行ルートパラメータに対応する走行戦略が選択され、この走行戦略に対応する第１の出力要求、およびこの走行戦略に対応する第２の出力要求が特定される。これを受けて、この走行戦略は、特定された第１および第２の出力要求に基づいて、自動車の全出力要求が最小化されるように調整される。
【０００９】
選択された走行戦略に対して予想される第１の出力要求の特定は、特に、様々な方法による算出によって行われるか、または特定のパラメータに応じた評価によっても行われる。第１の出力要求の特定とは無関係に、冷却回路の予想される第２の出力要求は、特に、様々な方法による算出によっても、または特定のパラメータに応じた評価によっても特定することができる。
【００１０】
この方法は、自動車の全出力要求の軽減に用いられる。そのために、温度調整装置と速度調整装置とは互いに連結されており、ユニットとして見なすことができる。従って、特に、ほんの少しだけ高い駆動ユニットの出力要求でも、この要求が、それに相応して低い冷却回路の第２の出力要求によって埋め合わされる場合には許容することができる。
【００１１】
さらに、この出力要求の最適化方法により、自動車の温度調整装置の早期の、エネルギー効率の高い制御が可能となる。従って、予測的な介入にもかかわらず必要な温度限界を維持できないかどうか、もしくは極めて多くのエネルギーを使用しないと維持できないかどうかを検知することが可能である。この温度調整装置は自動車の速度調整装置と双方向に通信するため、そのようなケースでは、自動車の走行戦略を適合させることができる。例えば、冷却回路の出力要求を上昇させる高い熱入力が早期に軽減されるように、走行戦略が調整される。このことは、例えば、自動車のトランスミッションユニットへの該当する調整動作によって実施することができる。
【００１２】
好ましくは、予想される駆動ユニットの熱入力が危険値を超えた場合に、走行戦略が調整される。
【００１３】
この出力要求の最適化方法は、内燃機関を備える自動車にも、電気モータを備える自動車にも、あるいはハイブリッド駆動を備える自動車にも同じように適合し、冷却システムにもう１つの熱入力を提供する熱回復システムとも組み合わせることができる。
【００１４】
有利には、冷却回路への不必要な調整動作が防止されるため、冷却回路の該当するコンポーネントの寿命が延びる。
【００１５】
本発明の実施例を、図に基づいて以下に詳しく説明する。
【図面の簡単な説明】
【００１６】
【図１】自動車の最適化装置の構造図である。
【発明を実施するための形態】
【００１７】
互いに対応する部品は、この図の中で同一の記号が付されている。
【００１８】
図１は、自動車の出力要求の最適化方法およびこの方法を実施するのに適した装置の概要図である。
【００１９】
予測モジュール１は、自動車の位置特定が行われるデータを供給する。この予測モジュール１は、例えば、特にＧＰＳ（Ｇｌｏｂａｌ  Ｐｏｓｉｔｉｏｎｉｎｇ  Ｓｙｓｔｅｍ）データなど、衛星からの位置信号の受信機を備えている。この代替の方法として、従来のナビゲーション機能によっても自動車の現在位置を規定することができる。さらに、ナビゲーションユニットにはそれに属する入力装置が設けられているため、運転者は、自動車の出発地および／または１つもしくは複数の希望する車両の目的地を設定することができる。さらに、予測モジュール１は、特に、自動車の周辺を検知する車間距離レーダなどの周辺センサを有することもできる。
【００２０】
予測モジュール１は、３次元のマップデータを提供するデジタル道路マップを備えている。自動車がこれから走行するルートを特徴づける走行ルートパラメータＳｔは、３次元のマップデータから特定される。予測モジュール１には、走行ルートの高度データ、道路変化および／または速度制限が保存されており、これらが走行ルートパラメータＳｔを特定するために評価される。走行ルートパラメータＳｔとして、特に路面の勾配またはカーブのデータ、ならびに走行ルートの交通量を特定することができる。
【００２１】
この場合、特徴づけられる走行ルート区間は、出発地および目的地を設定することによって規定することができる。この代替の方法として、最も可能性のある経路を算出することによって予測範囲の走行ルート区間を選択することができる。そのために、特に自動車の現在位置、進行方向および／または速度など、現在の走行パラメータＦが評価される。
作動データモジュール２は、現在関連している自動車の走行パラメータＦおよび車両パラメータＦｚを検知する。特に、運転者の現在の制御動作（アクセルペダルの操作など）、エンジンとギヤのデータ（トランスミッションユニットの現在の実際ギヤシフト、駆動ユニットおよび／または冷却液の温度など）、および走行データ（自動車の速度および／または加速など）が、走行パラメータＦまたは車両パラメータＦｚとして検知される。
【００２２】
自動車の速度調整装置Ｇの走行戦略モジュール３は、これから走行する走行ルート区間について、駆動ユニットの第１の出力要求を最適化する予測走行戦略を算出する。走行ルートパラメータＳｔに基づいて、予測された第１のパラメータＰ１のため、燃費に最適な設定が調べられ、この設定には、特に、走行戦略の実施に必要な、駆動ユニット用冷却回路の温度調整装置Ｔへの出力要求が含まれている。
【００２３】
該当する速度調整パラメータＧＳ１〜ＧＳｎを用いて、走行戦略を実施するための様々な自動車の調整ユニット４、５、６、７が制御される。例えば、オートマチックトランスミッションユニットのギヤ選択、および特に内燃機関または電気モータを備えられる駆動ユニットのトルク制御が、この走行戦略に従って制御される。さらに、速度調整パラメータＧＳ１〜ＧＳｎによって、特に自動車の１つまたは複数の補助ブレーキ（リターダなど）操作が調整される。電気モータおよび補助ブレーキは、温度調整の際に、特に追加の熱源として機能する。トルク制御は、とりわけ自動速度／クルーズコントロールモードの中で行うことができる。
【００２４】
速度調整装置Ｇは、自動車の速度調整のための調整ユニット４、５、６、７を備えている。ギヤ選択モジュール４は、走行戦略モジュール３によって特性された予測走行戦略に従って、トランスミッションユニットとギヤ設定をコーディネートする。特に、自動車のセミオートマチックトランスミッションユニットまたはオートマチックトランスミッションユニットの作動機能が、燃費に最適な走行戦略を実施するために速度調整パラメータＧＳ１〜ＧＳｎによって調整される。
【００２５】
さらに、速度調整装置Ｇは、少なくとも１つの内燃機関用トルク設定モジュール５または電気モータ用トルク設定モジュール６を備えている。この自動車の出力要求の最適化方法は、特に、駆動ユニットが内燃機関と電気モータの両方を有しているハイブリッド自動車に適している。トルク設定モジュール５、６は、設定された速度調整パラメータＧＳ１〜ＧＳｎに従って、自動車の駆動ユニットの全てのトルクパスを相応に制御する。
【００２６】
例えばトラックなどの商用車のエネルギー消費または燃費を最適化するために、特に、補助ブレーキ（リターダなど）を制御するためのトルク設定モジュール７が設けられている。この補助ブレーキは、例えば渦電流を発生させることによって自動車の減速が達成される電磁式リターダとして、または自動車の減速に必要なエネルギーが熱によってブレーキオイルに供給される流体式リターダとして形成することができる。そのような補助ブレーキは、特に、長い下り坂において自動車の通常のブレーキユニットがオーバーヒートする危険を軽減するために用いられる。この速度調整パラメータＧＳ１〜ＧＳｎを用いて、エネルギー効率よく自動車を使用するために補助ブレーキが制御される。特に、この補助ブレーキは、自動車の冷却回路に追加の熱を供給するためにも使用することができる。
【００２７】
特に、電気モータ用トルク設定モジュール６によってブレーキ機能または補助ブレーキ機能を提供することもでき、この機能では、ジェネレータモードの電気モータが走行エネルギーを回生し、電気エネルギーの形でエネルギーアキュムレータに供給する。
【００２８】
自動車の温度調整装置Ｔは、温度予測モジュール８を有し、このモジュールは、予想された第１のパラメータＰ１に基づいて、自動車に作用する熱入力を事前に算出する。そのために、該当する数学的モデルまたは数値モデルが使用される。とりわけ、内燃機関、電気モータ、補助ブレーキまたは冷却回路に接続されているその他の自動車コンポーネントの熱入力が特定される。これから走行する走行ルート区間およびそれに属する走行ルートパラメータに基づき、将来的な下り坂走行は、特に熱低下として特定される。結果として、予測範囲に亘る予想温度変化およびそれに応じた第２の予想パラメータＰ２が生じ、これらのパラメータに基づいて温度変化を制御するための調整戦略が実行される。
【００２９】
評価ユニット９は予想温度変化に基づいて調整戦略を調べ、第２の予想パラメータＰ２を特定する。温度調整装置Ｔの調整動作のための調整戦略は、できるだけ少ない第２の追加的エネルギー消費または燃費およびアクチュエータ動作によって調整冷却機能が実現されるように特定される。温度調整装置Ｔを制御するための関連する温度調整信号ＴＳ１〜ＴＳｎは事前に算出される。温度調整信号ＴＳ１〜ＴＳｎは、予想される大きな熱入力の前に冷却液の温度が過冷却されるように、駆動ユニットの温度を調整し、駆動系ユニットのサーマルバッファを利用することによって、高い出力要求を示す可能性のある、温度制御のための追加の調整ユニット１０、１１、１２、１３がオンになるのを防止する。さらに、短い調整ブレーキと勾配での補助ブレーキとを区別することができるため、調整ユニット１０、１１、１２、１３を目的に応じて制御することもできる。
【００３０】
温度調整信号ＴＳ１〜ＴＳｎを用いて、温度調整装置の複数の調整ユニット１０、１１、１２、１３が制御される。そのため、予想温度変化を実行するため、例えば冷却回路のポンプユニット１０の圧送出力が制御される。この場合、ポンプユニット１０の圧送出力は無段階または段階的に調整することができる。
【００３１】
無段階または段階的に調整可能なサーモスタットバルブ１１は、温度調整信号ＴＳ1〜ＴＳｎを用いて、冷却液クーラからの冷やされた冷却液と、冷却液クーラのない第２の小型冷却回路からの冷やされていない冷却液との混合状態が、熱入力を調整するために最適に適合するように調整される。
【００３２】
さらに、温度を調整するための温度調整信号ＴＳ1〜ＴＳｎを用いて、空気供給調整装置１２の調整ユニットが制御される。これにより、例えば冷却エア流を調整するためのエアルーバ、エアフラップまたはエアローラが開閉されるか、またはエンジン温度を冷却するために適した中間ポジションにすることができる。
【００３３】
ファン１３は、熱入力を調整するために、温度調整信号ＴＳ１〜ＴＳｎによってオンまたはオフにされる。必要に応じて、駆動ユニットの最適な冷却を確実にするため、ファン１３の回転数も調整することができる。
【００３４】
温度予測モジュール８によって特定された第２の予想パラメータＰ２は、予想温度変化に関するインフォメーションも含んでおり、これらのパラメータは速度調整装置Ｇの走行戦略モジュール３に戻されることも可能である。従って、該当する信号の流れは、温度調整装置Ｔから速度調整装置Ｇへのフィードバックも有している。これにより、温度調整装置Ｔとその調整ユニット１０、１１、１２、１３の負担を軽減するための走行戦略に介入することが可能となる。特に、温度調整装置Ｔのアクチュエータ動作があまりにも大きすぎるか、または冷却回路の第２の出力要求が設定可能な限界値を超えている場合、走行戦略を適合させることができる。従って、走行戦略モジュール３へのフィードバックにより、駆動ユニットの第１の出力要求と冷却回路の第２の出力要求とから成る全出力要求が最小化されるように、走行戦略を適合することが可能となる。
【００３５】
これに対応して、評価ユニット９と温度予測モジュール８との間の信号の流れも逆向きに接続されている。特に回転数およびトルク要求などの出力要求を含んでいる温度調整信号ＴＳ１〜ＴＳｎが温度予測モジュール８へ戻されるため、将来的な温度変化の予測にこれらの値を考慮することが可能となる。従って、最適化方法または発見的調整戦略が実現可能であり、これは温度調整信号ＴＳ１〜ＴＳｎを特定するために温度予測モジュール８の事前の計算を必要とする。
【００３６】
作動データモジュール２は、車両パラメータおよび走行パラメータＦｚ、Ｆを、速度調整装置Ｇの走行戦略モジュール３と、温度調整装置Ｔの温度予測モジュール８との両方に提供する。従って、特に予想走行戦略および／または予想温度変化の中に運転者の介入を組み込むことができる。
【００３７】
温度調整装置Ｔは、双方向インターフェースによって速度調整装置Ｇと接続されているため、データ交換を二方向で行うことができる。このことにより、特に、温度調整装置Ｔの高すぎる第２の出力要求に走行戦略を適合させることが可能となるため、自動車の全出力要求が最小化される。
【００３８】
従って、自動車の出力要求を最適化するために、まず走行ルートパラメータＳｔに対応した走行戦略を選択することができる。特に、これから走行する路面が急激に傾斜している場合、予測走行戦略がエンジン作動点の最適条件を選択すると考えられるため、第１の出力要求は僅かであり、駆動エネルギーの面では有利であるが、温度調整装置Ｔへの非常に大きな熱入力を発生する。必要に応じて調整される補助冷却があるにもかかわらず、将来的な冷却出力への高い要求が温度予測モジュール８によって予想される場合、これに対応する冷却回路の第２の出力要求が温度調整装置Ｔから速度調整装置Ｇにフィードバックされる。そのようなフィードバックは、特に、ポンプユニット１０の圧送出力を含む予想冷却出力が危険な値に達する場合などに行われる。この走行戦略モジュール３は、見込まれる冷却回路の第２の出力要求を計算に入れて、全体のエネルギー面で有利な、自動車の駆動ユニットの新しい作動点を特定する。この場合、同じ作動点が再び特定されることもあるが、それは、高い冷却出力にもかかわらず、この作動点が全出力要求の最適条件と一致している場合である。しかし、それ以外では、第１の出力要求が高く、駆動エネルギー面では不利な作動点が選択されることもあり、その場合は、対応する熱入力が縮小される。従って、冷却回路のより小さな冷却出力が必要となり、第２の出力要求は、全エネルギー収支が縮小されるように削減される。
【符号の説明】
【００３９】
１    予測モジュール
２    作動データモジュール
３    走行戦略モジュール
４    ギヤ選択モジュール
５    内燃機関用トルク設定モジュール
６    電気モータ用トルク設定モジュール
７    補助ブレーキ用トルク設定モジュール
８    温度予測モジュール
９    評価ユニット
１０  ポンプユニット
１１  サーモスタットバルブ
１２  空気供給調整装置
１３  ファン
Ｆ    走行パラメータ
Ｆｚ  車両パラメータ
Ｇ    速度調整装置
ＧＳ１〜ＧＳｎ    速度調整パラメータ
Ｐ１  第１のパラメータ
Ｐ２  第２のパラメータ
Ｓｔ  走行ルートパラメータ
Ｔ    温度
ＴＳ１〜ＴＳｎ  温度調整信号
【図１】
0005945319.tif 000002